(57)【要約】【課題】呼損の発生頻度を抑えるとともに、周波数利用効率を向上させる。【解決手段】本発明のＣＤＭＡ通信装置は、ユーザのユーザデータ＃１〜＃ｎを拡散し、多重化する拡散部１００と、ｍ個の周波数ｆ１〜ｆｍにそれぞれ対応して設けられ、対応する周波数で拡散部１００から出力されたユーザデータを変調する無線送信部３００1〜３００mと、ユーザデータのＳＦ値を拡散部１００に設定するとともに、ユーザデータのＳＦ値に基づいてユーザの使用周波数を決定し、決定した周波数に対応して設けられた無線送信部３００1〜３００mに向けて拡散後のユーザデータを出力するよう拡散部１００の設定を行うＳＦ値判定回路２１０を具備する制御装置２００とを有している。【選択図】図１
2005057429.tif 000002
【特許請求の範囲】
【請求項１】
複数の周波数のいずれかをユーザの使用周波数として割り当て、割り当てた周波数で前記ユーザのユーザデータを変調して送信するＣＤＭＡ通信装置において、
前記ユーザのユーザデータを拡散し、多重化する拡散手段と、
前記複数の周波数のそれぞれに対応して設けられ、当該周波数で前記拡散手段から出力された前記ユーザデータを変調する複数の無線送信手段と、
前記拡散手段における前記ユーザデータの拡散率に基づいて前記ユーザの使用周波数を決定する判定手段と、前記ユーザデータの拡散率を前記拡散手段に設定するとともに、前記判定手段にて決定された周波数に対応して設けられた前記無線送信手段に向けて前記ユーザデータを出力するよう前記拡散手段の設定を行う設定手段とを具備する制御手段とを有する、ＣＤＭＡ通信装置。
【請求項２】
前記判定手段は、
前記拡散手段における前記ユーザデータの拡散率に基づいて係数を算出する係数算出手段と、
前記複数の周波数のそれぞれに対応して設けられ、当該周波数がすでに割り当てられているユーザのユーザデータの前記係数の合計値を、前記係数算出手段の算出結果に基づいて管理する複数の係数管理手段と、
前記複数の係数管理手段のそれぞれにて管理されている前記複数の周波数ごとの前記係数の合計値を、前記複数の周波数どうしで比較し、前記係数の合計値の比較結果に基づいて、前記ユーザの使用周波数を決定する決定手段とを有する、請求項１に記載のＣＤＭＡ通信装置。
【請求項３】
前記決定手段は、前記複数の周波数ごとに、当該周波数がすでに割り当てられているユーザの移動機への下り回線の回線品質情報を取得し、取得した回線品質情報を前記複数の周波数どうしで比較し、前記係数の合計値の比較結果および前記回線品質情報の比較結果に基づいて、前記ユーザの使用周波数を決定する、請求項２に記載のＣＤＭＡ通信装置。
【請求項４】
前記決定手段は、前記ユーザの前記移動機への下り回線の前記回線品質情報として、前記ユーザの移動機へ送信されたユーザデータの信号電力対干渉電力比を用いる、請求項３に記載のＣＤＭＡ通信装置。
【請求項５】
複数の周波数のいずれかをユーザの使用周波数として割り当て、割り当てた周波数により前記ユーザのユーザデータを変調して送信するＣＤＭＡ通信装置におけるＣＤＭＡ通信方法において、
前記ユーザのユーザデータを拡散し、多重化する第１のステップと、
前記第１のステップにおける前記ユーザデータの拡散率に基づいて前記ユーザの使用周波数を決定する第２のステップと、
前記第２のステップにて前記ユーザの使用周波数として決定された周波数で前記第１のステップにて拡散、多重化されたユーザデータを変調する第３のステップとを有するＣＤＭＡ通信方法。
【請求項６】
前記第２のステップは、
前記第１のステップにおける前記ユーザのユーザデータの拡散率に基づいて係数を算出する第４のステップと、
前記第４のステップの算出結果に基づいて、前記複数の周波数ごとに、当該周波数がすでに割り当てられているユーザのユーザデータの前記係数の合計値を算出し、算出した前記係数の合計値を前記複数の周波数どうしで比較する第５のステップと、
前記第５のステップの比較結果に基づいて、前記ユーザの使用周波数を決定する第６のステップとを含む、請求項５に記載のＣＤＭＡ通信方法。
【請求項７】
前記第２のステップは、
前記ユーザのユーザデータの拡散率に基づいて係数を算出する第４のステップと、
前記第４のステップの算出結果に基づいて、前記複数の周波数ごとに、当該周波数がすでに割り当てられているユーザのユーザデータの前記係数の合計値を算出し、算出した前記係数の合計値を前記複数の周波数どうしで比較する第５のステップと、
前記複数の周波数ごとに、当該周波数がすでに割り当てられているユーザの移動機への下り回線の回線品質情報を取得し、取得した回線品質情報を前記複数の周波数どうしで比較する第６のステップと、
前記第５のステップの比較結果および前記第６のステップの比較結果に基づいて、前記ユーザの使用周波数を決定する第７のステップとを含む、請求項５に記載のＣＤＭＡ通信方法。
【請求項８】
前記第７のステップでは、前記ユーザの前記移動機への下り回線の前記回線品質情報として、前記ユーザの移動機へ送信されたユーザデータの信号電力対干渉電力比を用いる、請求項７に記載のＣＤＭＡ通信方法。
【発明の詳細な説明】
【技術分野】
【０００１】
本発明は、ＣＤＭＡ通信装置およびその方法に関するものである。
【背景技術】
【０００２】
無線伝送にスペクトラム拡散技術を用いた符号分割多元接続（以下、ＣＤＭＡ：Code Division Multiple Access）方式では、チップレートが同一の環境下ではチャネルのシンボルレートと拡散符号（以下、ＳＦ：Spread Factor）とは反比例の関係にある。
【０００３】
ＣＤＭＡ基地局においては、拡散率（以下、ＳＦ値）の大きさを変化させることにより、様々な伝送レートに変更することができるとともに、複数ユーザのユーザデータも多重して送信することができる。
【０００４】
ここでＣＤＭＡ基地局においてユーザデータを多重できる最大のユーザ数は、ＣＤＭＡ基地局から送信したユーザデータをユーザの移動機側で逆拡散し、復調した時の当該ユーザデータの信号電力対干渉電力比（以下、ＳＩＲ値：Signal to Interference Rate）によって決まる。
【０００５】
したがって、ＣＤＭＡ基地局において、各種の通信サービスの品質を保証することができる最小のＳＩＲ値までユーザデータを多重することが、より多くのユーザに通信サービスを提供できることに繋がる。
【０００６】
図６に、従来のＣＤＭＡ基地局の送信側の構成を示す。
【０００７】
図６を参照すると、本従来例のＣＤＭＡ基地局は、ユーザデータ＃１〜＃ｎを拡散し、多重化する拡散部１００と、拡散部１００を制御する制御装置６００と、ｍ個の周波数ｆ１〜ｆｍにそれぞれ対応して設けられ、対応する周波数で拡散後のユーザデータを変調する無線送信部３００1〜３００mと、変調後のユーザデータを合成する合成部４００と、合成後のユーザデータを無線送信するアンテナ５００とを有している。なお、アンテナ５００は、ｍ個の周波数ｆ１〜ｆｍを共有することができるものとする。
【０００８】
拡散部１００は、拡散器１１０と、加算器セレクタ回路１２０と、ｍ個の周波数ｆ１〜ｆｍにそれぞれ対応して設けられた多入力加算器１３０1〜１３０mとを有している。
【０００９】
拡散器１１０は、ユーザデータ＃１〜＃ｎが入力され、入力されたユーザデータ＃１〜＃ｎを拡散する。拡散器１１０は、制御装置６００に接続されており、ユーザデータ＃１〜＃ｎを拡散する際のＳＦ値が制御装置６００により設定される。
【００１０】
加算器セレクタ回路１２０は、制御装置６００に接続されており、制御装置６００により設定された周波数に対応している多入力加算器１３０1〜１３０mへ、拡散後のユーザデータを振り分ける。制御装置６００は、各ユーザの使用周波数をどの周波数ｆ１〜ｆｍに割り当てるか、すなわち、各ユーザのユーザデータ＃１〜＃ｎをどの周波数ｆ１〜ｆｍの無線送信部３００1〜３００mに割り当てて送信するかを制御する。制御方法としては、例えばラウンドロビン方式などで使用周波数を決定する方法がある。このように各ユーザにキャリア（周波数）を割り当てる技術は、例えば、特許文献１に開示されている。
【００１１】
多入力加算器１３０1〜１３０mは、無線送信部３００1〜３００mとそれぞれ接続されており、拡散後のユーザデータを多重化し、それぞれが接続されている無線送信部３００1〜３００mに出力する。
【００１２】
以下、本従来例におけるＣＤＭＡ基地局の動作について説明する。
【００１３】
まず、拡散器１１０は、制御装置６００により設定されたＳＦ値で各ユーザのユーザデータ＃１〜＃ｎを拡散し、加算器セレクタ回路１２０に出力する。
【００１４】
次に、加算器セレクタ回路１２０は、制御装置６００により設定された周波数に対応する多入力加算器１３０1〜１３０mを選択し、選択した多入力加算器１３０1〜１３０mに対し、拡散器１１０から入力された拡散後のユーザデータを出力する。
【００１５】
次に、多入力加算器１３０1〜１３０mは、加算器セレクタ回路１２０から入力された拡散後のユーザデータを多重化し、それぞれが接続されている無線送信部３００1〜３００mに多重後のユーザデータを出力する。
【００１６】
次に、無線送信部３００1〜３００mは、多入力加算器１３０1〜１３０mから入力された多重後のユーザデータを、それぞれの周波数ｆ１〜ｆｍで変調する。
【００１７】
その後、無線送信部３００1〜３００mにて変調されたユーザデータは、合成器４００により合成され、アンテナ５００から無線送信される。
【特許文献１】特開２００３−０４６４７４号公報
【発明の開示】
【発明が解決しようとする課題】
【００１８】
上述したように、図６に示した従来のＣＤＭＡ基地局においては、各ユーザのユーザデータを無線送信部のいずれかへ割り当てる際に、ＳＦ値を考慮せずに、例えばラウンドロビン方式に従って割り当てを行っている。
【００１９】
そのため、仮に、あるユーザのユーザデータがすでに収容されている無線送信部に新規ユーザのユーザデータを割り当てた場合、その無線送信部にはＳＦ値の大きなユーザデータについては収容することができるが、ＳＦ値が小さなユーザデータについては、通信サービスを保証できるだけのＳＩＲ値を確保できなくなり、そのユーザデータを収容することができない状態になる可能性がある。このような問題が発生すると、呼損の発生につながるとともに、周波数の利用効率が悪化することにもなる。
【００２０】
このような問題の解決法として、無線送信部の数を増やすことで対応することも考えられるが、ある無線送信部だけに注目したときには全く同じ問題が起こる可能性があるため、本質的な解決にはならない。また、無線送信部の数を増やすと、回路規模が大きくなってしまうという別の問題が生じてしまう。
【００２１】
そこで、本発明の目的は、呼損の発生頻度を抑えることができるとともに、周波数利用効率を向上させることができるＣＤＭＡ通信装置およびその方法を提供することにある。
【課題を解決するための手段】
【００２２】
上記目的を達成するために本発明によるＣＤＭＡ通信装置は、複数の周波数のいずれかをユーザの使用周波数として割り当て、割り当てた周波数で前記ユーザのユーザデータを変調して送信するＣＤＭＡ通信装置において、前記ユーザのユーザデータを拡散し、多重化する拡散手段と、前記複数の周波数のそれぞれに対応して設けられ、当該周波数で前記拡散手段から出力された前記ユーザデータを変調する複数の無線送信手段と、前記拡散手段における前記ユーザデータの拡散率に基づいて前記ユーザの使用周波数を決定する判定手段と、前記ユーザデータの拡散率を前記拡散手段に設定するとともに、前記判定手段にて決定された周波数に対応して設けられた前記無線送信手段に向けて前記ユーザデータを出力するよう前記拡散手段の設定を行う設定手段とを具備する制御手段とを有することを特徴とするものである。
【００２３】
より具体的には、前記判定手段は、前記拡散手段における前記ユーザデータの拡散率に基づいて係数を算出する係数算出手段と、前記複数の周波数のそれぞれに対応して設けられ、当該周波数がすでに割り当てられているユーザのユーザデータの前記係数の合計値を、前記係数算出手段の算出結果に基づいて管理する複数の係数管理手段と、前記複数の係数管理手段のそれぞれにて管理されている前記複数の周波数ごとの前記係数の合計値を、前記複数の周波数どうしで比較し、前記係数の合計値の比較結果に基づいて、前記ユーザの使用周波数を決定する決定手段とを有することを特徴としている。
【００２４】
この構成によれば、ユーザデータの拡散率に基づいてユーザに使用周波数を割り当てているため、すでにユーザデータが収容されている無線送信手段に拡散率が小さなユーザデータが割り当てられてしまい、このユーザデータが収容できない状態になることを防ぐことが可能となる。また、ユーザデータの係数の合計値は、ユーザ数とサービス（拡散率）との両方を考慮した値であるため、全くユーザデータが収容されない状態の無線送信手段をなくすことが可能となる。
【００２５】
また、前記決定手段は、前記複数の周波数ごとに、当該周波数がすでに割り当てられているユーザの移動機への下り回線の回線品質情報を取得し、取得した回線品質情報を前記複数の周波数どうしで比較し、前記係数の合計値の比較結果および前記回線品質情報の比較結果に基づいて、前記ユーザの使用周波数を決定することとしても良い。また、前記決定手段は、前記ユーザの前記移動機への下り回線の前記回線品質情報として、前記ユーザの移動機へ送信されたユーザデータの信号電力対干渉電力比を用いることとしても良い。
【００２６】
この構成によれば、通信サービスの品質が確保される信号電力対干渉電力比の限界まで無線送信部を使用できるように周波数を振り分けることが可能となり、それにより、周波数の利用効率をさらに向上させることが可能となる。
【発明の効果】
【００２７】
本発明においては、制御手段内に、ユーザデータの拡散率に基づいてユーザに割り当てる使用周波数を決定する判定手段を設けている。より具体的には、この判定手段は、ユーザデータの拡散率に基づいて係数を算出し、複数の周波数ごとに当該周波数が割り当てられているユーザのユーザデータの係数の合計値を算出し、算出した係数の合計値を複数の周波数どうしで比較する。そして、この比較結果に基づいて、例えば、係数の合計値が最小である周波数の無線送信手段、すなわち、無線送信手段の中で収容ユーザ数に最も余裕のある周波数の無線送信手段をユーザに割り当てている。
【００２８】
このように、ユーザデータの拡散率に基づいてユーザに使用周波数を割り当てているため、すでに拡散率が大きなユーザデータが収容されている無線送信手段に、拡散率が小さなユーザデータが突然収容されてしまうことを防ぐことができる。また、ユーザデータの係数の合計値は、ユーザ数とサービス（拡散率）との両方を考慮した値であるため、全くユーザデータが収容されていない無線送信手段をなくすことができる。
【００２９】
したがって、呼損の発生頻度を抑えることができるとともに、周波数を効率的に無駄なく利用することができる。
【発明を実施するための最良の形態】
【００３０】
（第１の実施形態）
図１に、本発明の第１の実施形態によるＣＤＭＡ通信装置として適用されるＣＤＭＡ基地局の送信側の構成を示す。なお、図１において、図６と同様の部分については同一の符号を付し、詳細な説明を省略する。
【００３１】
図１を参照すると、本発明の第１の実施形態によるＣＤＭＡ基地局は、制御装置２００内にＳＦ値判定回路２１０を追加した点が図６に示した従来構成と異なる。その他、拡散手段としての拡散部１００、無線送信部３００1〜３００m、合成部４００、およびアンテナ５００は図６に示した従来構成と同様である。
【００３２】
図２に、本発明の特徴部分であるＳＦ値判定回路２１０の構成を示す。
【００３３】
図２を参照すると、ＳＦ値判定回路２１０は、ユーザ情報管理部２１ａと、判定部２１ｂと、設定部２１ｃとを有している。
【００３４】
ユーザ情報管理部２１ａは、ユーザ情報として、ユーザのユーザ番号と、当該ユーザのユーザデータのＳＦ値と、当該ユーザに割り当てられている使用周波数とを管理している。ユーザ情報管理部２１ａは、判定部２１ｂと設定部２１ｃとに接続されており、ユーザ番号とＳＦ値とを、判定部２１ｂと設定部２１ｃとに通知する。さらに、ユーザ情報管理部２１ａは、判定部２１ｂが決定した新規ユーザの使用周波数の情報を受信し、受信した情報に基づいてユーザ情報を更新する。
【００３５】
判定部２１ｂは、ユーザ情報管理部２１ａから通知されたＳＦ値に基づいて新規ユーザの使用周波数を決定し、決定した使用周波数を新規ユーザのユーザ番号と共に、ユーザ情報管理部２１ａと設定部２１ｃとに通知する。
【００３６】
設定部２１ｃは、図１に示した拡散器１１０と加算器セレクタ回路１２０とに接続されており、ユーザ情報管理部２１ａから通知されたユーザ番号とＳＦ値とを拡散器１１０に設定し、判定部２１ｂから通知されたユーザ番号と使用周波数とを加算器セレクタ回路１２０に設定する。拡散器１１０と加算器セレクタ回路１２０は、設定部２１ｃにより設定された設定値に基づいて処理を行う。
【００３７】
以下、本実施形態におけるＳＦ値判定回路２１０の動作について説明する。
【００３８】
図３に、ＳＦ値判定回路２１０内の各構成要素において、新規ユーザに使用周波数を割り当てる場合の処理の流れを説明するフローチャートを示す。
【００３９】
図３を参照すると、まず、ユーザ情報管理部２１ａは、新規ユーザのユーザ番号と当該ユーザのユーザデータのＳＦ値とを設定部２１ｃに通知し（ステップ３０１）、設定部２１ｃは、ユーザ情報管理部２１ａから通知されたユーザ番号とＳＦ値とを拡散器１１０に設定する（ステップ３０２）。
【００４０】
さらに、ユーザ情報管理部２１ａは、新規ユーザのユーザ番号と当該ユーザのユーザデータのＳＦ値とを判定部２１ｂにも通知し（ステップ３０３）、判定部２１ｂは、ユーザ情報管理部２１ａから通知されたＳＦ値に基づいて、新規ユーザの使用周波数を決定する（ステップ３０４）。
【００４１】
次に、判定部２１ｂは、上記で決定された新規ユーザの使用周波数をユーザ情報管理部２１ａに通知し（ステップ３０５）、ユーザ情報管理部２１ａは、判定部２１ｂから通知された情報に基づいてユーザ情報を更新する（ステップ３０６）。
【００４２】
さらに、判定部２１ｂは、上記で決定された新規ユーザの使用周波数をユーザ番号とともに設定部２１ｃにも通知し（ステップ３０７）、設定部２１ｃは、判定部２１ｂから通知された新規ユーザのユーザ番号と使用周波数とを加算器セレクタ回路１２０に設定する（ステップ３０８）。
【００４３】
ここで判定部２１ｂの構成および動作について図４を参照して詳細に説明する。なお、図１においては、多入力加算器１３０1〜１３０mの数がｍ個であるが、図４においては、多入力加算器の数が３個（アンテナ５００が３個の周波数まで共有することができる）である場合の具体例が示されている。
【００４４】
図４を参照すると、判定部２１ｂは、係数算出部２１１と、周波数ｆ1〜ｆ3にそれぞれ対応して設けられた係数管理部２１２1〜２１２3と、決定部２１３とを有している。
【００４５】
判定部２１ｂ内の各構成要素は、新規ユーザの使用周波数を決定する際に次のような動作を行う。
（１）係数算出部２１１には、新規ユーザのユーザ番号と当該ユーザのユーザデータのＳＦ値とがユーザ情報管理部２１ａから入力される。本例では、ユーザ番号＝７、ＳＦ値＝８とする。
（２）すると、係数算出部２１１は、ユーザ情報管理部２１ａから入力されたＳＦ値に基づいて係数αを算出する。本例では、ＳＦ値＝８の逆数を取り、係数α＝０．１２５が算出される。なお、無線送信部３００1〜３００3にすでに収容されているユーザのユーザデータの係数αの合計値は、周波数ｆ１〜ｆ３ごとに、係数管理部２１２1〜２１２3により管理されている。本例では、係数αの合計値は、周波数ｆ１＝０．０３、周波数ｆ２＝０．０８、周波数ｆ３＝０．１２とする。この合計値は、ユーザ数および当該ユーザのユーザデータのＳＦ値の両方が考慮された値である。
（３）決定部２１３は、係数管理部２１２1〜２１２3のそれぞれにて管理されている周波数ｆ１〜ｆ３ごとの係数αの合計値を、周波数ｆ１〜ｆ３どうしで比較し、係数αの合計値の比較結果に基づいて新規ユーザに割り当てる使用周波数を決定する。
【００４６】
具体的には、決定部２１３は、係数αの合計値が最小である周波数を新規ユーザの使用周波数として決定する。ここで決定された周波数は、無線送信部３００1〜３００3のうちユーザデータの収容数に最も余裕のある（空きのある）無線送信部の周波数であり、本例では周波数ｆ１となる。
（４）次に、係数算出部２１１は、決定部２１３にて新規ユーザの使用周波数として決定された周波数の係数管理部２１２1〜２１２3に対し、新規ユーザに使用周波数を割り当てた旨と当該ユーザのユーザ番号とを通知する。本例では、周波数ｆ１の係数管理部２１２1に対して、新規ユーザのユーザ番号＝７と、当該ユーザに周波数ｆ１を割り当てた旨とが通知される。
（５）その後、新規ユーザが追加された周波数の係数管理部２１２1〜２１２3は、設定部２１ｃに新規ユーザのユーザ番号と使用周波数とを通知する。本例では、周波数ｆ１の係数管理部２１２1から設定部２１ｃに対して、新規ユーザのユーザ番号＝７と、使用周波数＝ｆ１とが通知される。
（６）さらに、新規ユーザが追加された周波数の係数管理部２１２1〜２１２3は、追加された新規ユーザの係数αを元の合計値と加算することにより、係数αの合計値を更新する。本例では、周波数ｆ１の係数管理部２１２1が、周波数ｆ１の係数αの合計値＝０．０３＋０．１２５＝０．１５５に更新する。これをもって、周波数ｆ２の係数αの合計値が最小となるため、決定部２１３では、次の新規ユーザに使用周波数を割り当てる場合、当該ユーザの使用周波数を周波数ｆ２に決定する。
【００４７】
（第２の実施形態）
図５に、本発明の第２の実施形態によるＣＤＭＡ通信装置として適用されるＣＤＭＡ基地局の送信側の構成を示す。なお、図５において、図１と同様の部分については同一の符号を付し、詳細な説明を省略する。
【００４８】
図５を参照すると、本発明の第２の実施形態によるＣＤＭＡ基地局は、制御装置２００Ａ内のＳＦ値判定回路２１０Ａに対し、本ＣＤＭＡ基地局から各ユーザの移動機への下り回線の回線品質情報が、不図示の無線受信部から入力される点が図１に示した構成とは異なる。なお、無線受信部では、本ＣＤＭＡ基地局から各ユーザの移動機への下り回線の回線品質情報を各ユーザの移動機から受信し、受信した回線品質情報をＳＦ値判定回路２１０Ａに入力している。
【００４９】
回線品質情報は、ＳＦ値判定回路２１０Ａ内のユーザ情報管理部２１ａにてユーザ情報として管理される。回線品質情報とは、例えば、本ＣＤＭＡ基地局から各ユーザの移動機へ送信されたユーザデータのＳＩＲ値である。
【００５０】
判定部２１ｂ内の各構成要素は、回線品質情報を例えばＳＩＲ値とした場合、新規ユーザの使用周波数を決定する際に次のような動作を行う。
（１）係数算出部２１１には、新規ユーザのユーザ番号と当該ユーザのユーザデータのＳＦ値とがユーザ情報管理部２１ａから入力され、決定部２１３には、周波数ｆ１〜ｆ３の無線送信部３００1〜３００3のそれぞれにすでに収容されているユーザのユーザデータのＳＩＲ値がユーザ情報管理部２１ａから入力される。
（２）すると、係数算出部２１１は、ユーザ情報管理部２１ａから入力されたＳＦ値に基づいて係数αを算出する。
（３）決定部２１３は、係数管理部２１２1〜２１２3のそれぞれにて管理されている周波数ｆ１〜ｆ３ごとの係数の合計値を、周波数ｆ１〜ｆ３どうしで比較する。さらに、決定部２１３は、周波数ｆ１〜ｆ３どうしで、その周波数がそれぞれ割り当てられているユーザのユーザデータのＳＩＲ値を比較する。例えば、ある無線送信部に収容されているユーザデータのＳＩＲ値が目標ＳＩＲ値よりも十分に小さい場合、その無線送信部には通信サービスの品質を保証できるだけのＳＩＲ値が十分に確保されており、さらに多くのユーザデータが収容可能であることを意味している。目標ＳＩＲ値とは、通信サービスの品質を保証することができる最小のＳＩＲ値を表すものである。なお、決定部２１３は、周波数ｆ１〜ｆ３どうしで、その周波数がそれぞれ割り当てられている全ユーザの全ユーザデータを比較することとしても良く、また、全ユーザデータのうち任意の１つ以上のユーザデータを抽出し、抽出したユーザデータのみを比較することとしても良い。
【００５１】
決定部２１３は、周波数ｆ１〜ｆ３どうしで比較した係数の合計値の比較結果、および周波数ｆ１〜ｆ３どうしで比較したＳＩＲ値の比較結果に基づいて、新規ユーザに割り当てる使用周波数を決定する。
【００５２】
具体的には、決定部２１３は、係数の合計値が最小であり、かつ、ＳＩＲ値が最小である周波数を新規ユーザの使用周波数として決定する。なお、このような周波数がない場合（ある周波数について、係数の合計値は最小であるが、ＳＩＲ値は最小ではない場合など）、決定部２１３は、係数の合計値またはＳＩＲ値のどちらか一方を優先して使用周波数を決定する。例えば、決定部２１３は、ＳＩＲ値を優先して使用周波数を決定する場合、通信サービスの品質が確保されるＳＩＲ値の限界まで無線送信部を使用できるように周波数を振り分けることができ、それにより、周波数の利用効率をさらに向上させることが可能となる。
（４）次に、係数算出部２１１は、決定部２１３にて新規ユーザの使用周波数として決定された周波数の係数管理部２１２1〜２１２3に対し、新規ユーザに使用周波数を割り当てた旨と新規ユーザのユーザ番号とを通知する。
（５）その後、新規ユーザが追加された周波数の係数管理部２１２1〜２１２3は、設定部２１ｃに新規ユーザのユーザ番号と使用周波数とを通知する。
（６）さらに、新規ユーザが追加された周波数の係数管理部２１２1〜２１２3は、追加されたユーザの係数を元の合計値と加算することにより、係数の合計値を更新する。
【図面の簡単な説明】
【００５３】
【図１】本発明の第１の実施形態によるＣＤＭＡ通信装置の構成を示す図である。
【図２】図１に示したＳＦ値判定回路の構成を示す図である。
【図３】図２に示したＳＦ値判定回路内の各構成要素の処理の流れを説明するフローチャートである。
【図４】図２に示した判定部の構成および動作を説明する図である。
【図５】本発明の第２の実施形態によるＣＤＭＡ通信装置の構成を示す図である。
【図６】従来のＣＤＭＡ通信装置の構成を示す図である。
【符号の説明】
【００５４】
２１ａ    ユーザ情報管理部
２１ｂ    判定部
２１ｃ    設定部
１００    拡散器
２００，２００Ａ    制御装置
２１０，２１０Ａ    ＳＦ値判定回路
２１１    係数算出部
２１２1〜２１２3    係数管理部
２１３    決定部
３００1〜３００m    無線送信部
４００    合成部
５００    アンテナ
【図１】
2005057429.tif 000003
【図２】
2005057429.tif 000004
【図３】
2005057429.tif 000005
【図４】
2005057429.tif 000006
【図５】
2005057429.tif 000007
【図６】
2005057429.tif 000008